(57)【特許請求の範囲】
【請求項１】
ケース；
前記ケース内に着脱可能に備えられ、ラップフィルムロールを支持することができるように形成される支持棒；および
前記ケースの外部に出たラップフィルムを切断することができるように前記ケースに備えられるカッター部を含み、
前記カッター部は、前記ケースの外側に前記ケースの長さ方向に伸びるように備えられるカッターレール；
前記カッターレールに沿ってスライド可能に前記カッターレールに締結される移動カッター；および
前記移動カッターを前記カッターレールから着脱させるための着脱ユニットを含み、
前記移動カッターは、前記カッターレールに挿入される挿入部を備えた支持体を含み、
前記着脱ユニットは、
前記カッターレールに形成され、前記支持体の前記挿入部の長さまたは幅よりも広く形成されるカッター通過孔；および
前記カッター通過孔を塞ぐキャップを含む、ラップ包装機。
【請求項２】
前記カッター通過孔は、前記カッターレールの端部の前面に形成され、
前記キャップは、前記カッターレールにヒンジ結合される、請求項１に記載のラップ包装機。
【請求項３】
前記カッター通過孔は、前記カッターレールの端部の前面に形成され、
前記キャップの底面には嵌合突起が形成され、
前記嵌合突起に相応するように、前記カッターレールのうち前記カッター通過孔側には嵌合溝が形成される、請求項１に記載のラップ包装機。
【請求項４】
前記支持体は、前記カッターレールの上に位置する取っ手部をさらに含み、
前記移動カッターは、前記支持体に回転可能に締結され、外周面に刃が形成された円形ブレードを含む、請求項１〜３のいずれか１項に記載のラップ包装機。
【請求項５】
前記ラップフィルムロールが前記支持棒に沿って移動することを防止するための左右移動防止ユニットをさらに含む、請求項１に記載のラップ包装機。
【請求項６】
前記左右移動防止ユニットは、
前記支持棒の外周縁に前記支持棒の長さ方向に沿って形成される複数の調節孔；および
前記複数の調節孔のうち該当調節孔に嵌合される調節突起を有し、前記ラップフィルムロールの左右移動を防止する第１および第２区分板を含む、請求項５に記載のラップ包装機。
【請求項７】
前記ラップフィルムロールは、複数が備えられて前記支持棒に沿って配列され、
前記左右移動防止ユニットは、前記支持棒のうち前記複数のラップフィルムロールの間に備えられる第３区分板をさらに含む、請求項６に記載のラップ包装機。
【請求項８】
前記ケースの底面に備えられて前記ケースが滑ることを防止する滑り防止部材をさらに含む、請求項１に記載のラップ包装機。
【請求項９】
前記ケースのうち前記支持棒に隣接した部分には、前記支持棒により支持されたラップフィルムロールのラップフィルムの残余量を確認することができるようにすると共に、取っ手の役割を果たす透視孔が形成される、請求項１に記載のラップ包装機。
【請求項１０】
前記透視孔には、透明または半透明材質の透視窓が結合され、
前記透視窓の中間部分は凹み形状を有する、請求項９に記載のラップ包装機。
【請求項１１】
ラップフィルムロールを収容することができるように形成されるケース；
前記ケースに設置されるレール支持台；
前記レール支持台に設置されるカッターレール；
前記カッターレールに隣接するように前記レール支持台に着脱可能に設置される着脱レール；および
前記カッターレールおよび前記着脱レールに沿ってスライド可能に設置される移動カッターを含み、
前記着脱レールが前記レール支持台から脱去された状態において、前記移動カッターは前記カッターレールから脱去され得るように形成され、
前記着脱レールが前記レール支持台に装着された状態において、前記カッターレール及び前記着脱レールから前記移動カッターが脱去されることなく、前記カッターレールおよび前記着脱レールが段差なく配置される、ラップ包装機。
【請求項１２】
前記移動カッターは、ブレード、および前記ブレードを支持し挿入部を有する支持体を含み、
前記着脱レールは、
本体；
前記本体に形成されて前記移動カッターの前記挿入部を収容する収容部；
前記本体の側面に前記収容部と連通するように形成されて前記移動カッターの前記挿入部を前記収容部に引き入れたり引き出す側面開放部；
前記本体の上面に前記収容部と連通するように形成されて前記移動カッターの左右移動を案内し、前記移動カッターの前記挿入部を前記収容部に拘束させる上面開放部；および
前記本体に備えられて前記ラップ包装機と着脱可能に形成される締結部を含む、請求項１１に記載のラップ包装機。
【請求項１３】
前記締結部は、前記本体の底面に備えられる締結突起である、請求項１２に記載のラップ包装機。
【請求項１４】
前記ラップフィルムロールを収容する状態で前記ケースに挿入され得るように形成される引出し部材を含む、請求項１１に記載のラップ包装機。
【請求項１５】
前記カッターレールは、前記引出し部材に装着される、請求項１４に記載のラップ包装機。
【請求項１６】
前記引出し部材を前記ケースにロッキングさせるロッキングユニットをさらに含む、請求項１４に記載のラップ包装機。
【請求項１７】
ラップフィルムロールを収容することができるように形成されるケース；
前記ケースに設置されるレール支持台；
前記レール支持台に設置されるカッターレール；
前記カッターレールに隣接するように前記レール支持台に着脱可能に設置される着脱レール；および
前記カッターレールおよび前記着脱レールに沿ってスライド可能に設置される移動カッターを含み、
前記着脱レールが前記レール支持台から脱去された状態において、前記移動カッターは前記カッターレールから脱去され得るように形成され、
前記ラップフィルムロールを収容する状態で前記ケースに挿入され得るように形成される引出し部材と、
前記引出し部材を前記ケースにロッキングさせるロッキングユニットとを含む、ラップ包装機。
【請求項１８】
前記ロッキングユニットは、
前記引出し部材の端部に備えられる弾性ブラケット；
前記弾性ブラケットに備えられる係止突起；および
前記係止突起に相応するように前記ケースに備えられる係止溝を含む、請求項１６又は１７に記載のラップ包装機。
【請求項１９】
前記ケースの内面のうち前記引出し部材の背面に相応する面に備えられて前記引出し部材を前方へ押し付ける加圧部をさらに含む、請求項１６又は１７に記載のラップ包装機。
【請求項２０】
前記加圧部は、前記引出し部材の背面に向って凸状に折り曲げられ、弾性を有する弾性部材である、請求項１９に記載のラップ包装機。
【発明の詳細な説明】
【技術分野】
【０００１】
本発明は、ラップを収容し切断することができるラップ包装機に関する。
【背景技術】
【０００２】
一般に、ラップ包装機は、家庭や飲食店などの厨房で主に使用されるものであって、ラップフィルムロールを収容することができるように構成され、ラップフィルムロールのラップフィルムを引っ張るとラップフィルムロールが巻き解かれながらラップフィルムが外部に出るように構成され、そして外部に巻き解かれて出たラップフィルムを切断することができるように構成されて飲食物などを包装する機器である。
【０００３】
従来のラップ包装機として韓国公開特許公報第１０−２００７−００３８８５７号に開示されたラップケース装置は、図１５を参照すれば、中央に軸部材１１を含むラップフィルムロール２をそれぞれ部分的に囲む固定手段１２を媒介として相互着脱可能に結合され、二つのケースのうちいずれか一つにはラップフィルム２ａを外部に引き出するための開口部１３が形成された上部ケース１４および下部ケース１５と、上部ケース１４の上部を覆うカバー５０と、上部ケース１４と下部ケース１５のうち少なくとも一つを媒介として備えられてラップフィルム２ａの幅が互いに異なる少なくとも二種類のラップフィルムロール２から選択された一つを軸部材１１を媒介として回転可能に支持する多種ラップフィルムロール支持手段２０と、上部ケース１４と下部ケース１５のうち少なくとも一つを媒介として備えられてラップフィルムロール２から引き出されるラップフィルム２ａを切断可能にするラップカッター部４０とを含む。
【０００４】
特に、ラップカッター部４０は、上部ケース１４に備えられるカッターレール４１と、カッターレール４１に沿って移動するラップカッター４３とを含む。ここで、ラップカッター４３は、ブレード４４と、ブレード４４の両側面にそれぞれ取り付けられる支持板４５と、二つの支持板４５の上端部に備えられ、内部に少なくとも一つの結合溝（図示せず）が形成された取っ手４６とから構成される。また、ブレード４４と二つの支持板４５は、インサートモールディングを通じて製造されたり、超音波融着を通じて製造される。
【０００５】
しかし、このような従来のラップ包装機は次のような問題がある。
【０００６】
ブレード４４と二つの支持板４５は、インサートモールディングまたは超音波融着により完全に固定された状態にあるため、ラップカッター４３をカッターレール４１に沿って左右移動させる場合、ブレード４４の両側面のみが継続してラップフィルム２ａを切断するようになってブレード４４の両側面が容易に鈍るという問題がある。
【先行技術文献】
【特許文献】
【０００７】
【特許文献１】韓国公開特許公報第１０−２００７−００３８８５７号
【発明の概要】
【発明が解決しようとする課題】
【０００８】
本発明の技術的課題は、ラップ包装機の他部品に比べて相対的に寿命が短い移動カッターを簡単に交換可能にしたラップ包装機を提供することにある。
【０００９】
また、本発明の他の技術的課題は、多様な大きさのラップを同時に収容し切断することができるラップ包装機を提供することにある。
【課題を解決するための手段】
【００１０】
本発明の実施形態によるラップ包装機は、ケース；前記ケース内に着脱可能に備えられ、ラップフィルムロールを支持することができるように形成される支持棒；および前記ケースの外部に出たラップフィルムを切断することができるように前記ケースに備えられるカッター部を含む。前記カッター部は、前記ケースの外側に前記ケースの長さ方向に伸びるように備えられるカッターレール；前記カッターレールに沿ってスライド可能に前記カッターレールに締結される移動カッター；および前記移動カッターを前記カッターレールから着脱させるための着脱ユニットを含む。
【００１１】
前記移動カッターは、前記カッターレールに挿入される挿入部と前記カッターレールの上に位置する取っ手部とを含む支持体；および前記支持体に回転可能に締結され、外周面に刃が形成された円形ブレードを含むことができる。
【００１２】
前記移動カッターは、前記カッターレールに挿入される挿入部を備えた支持体を含むことができ、前記着脱ユニットは、前記カッターレールに形成され、ただし、前記支持体の前記挿入部の長さまたは幅よりも広く形成されるカッター通過孔；および前記カッター通過孔を塞ぐキャップを含むことができる。
【００１３】
前記カッター通過孔は、前記カッターレールの端部の前面に形成され得、前記キャップは、前記カッターレールにヒンジ結合され得る。
【００１４】
前記カッター通過孔は、前記カッターレールの端部の前面に形成され得、前記キャップの底面には嵌合突起が形成され得、前記嵌合突起に相応するように、前記カッターレールのうち前記カッター通過孔側には嵌合溝が形成され得る。
【００１５】
前記着脱ユニットは、前記カッターレールに形成され、ただし、前記移動カッターが前記カッターレールに着脱可能に形成されるカッター通過孔；および前記カッター通過孔を塞ぐキャップを含むことができる。
【００１６】
本発明の他の実施形態によるラップ包装機は、前記ラップフィルムロールが前記支持棒に沿って移動することを防止するための左右移動防止ユニットをさらに含むことができる。
【００１７】
前記左右移動防止ユニットは、前記支持棒の外周縁に前記支持棒の長さ方向に沿って形成される複数の調節孔；および前記複数の調節孔のうち該当調節孔に嵌合される調節突起を有し、前記ラップフィルムロールの左右移動を防止する第１および第２区分板を含むことができる。
【００１８】
前記ラップフィルムロールは、複数が備えられて前記支持棒に沿って配列され得、前記左右移動防止ユニットは、前記支持棒のうち前記複数のラップフィルムロールの間に備えられる第３区分板をさらに含むことができる。
【００１９】
本発明の他の実施形態によるラップ包装機は、前記ケースの底面に備えられて前記ケースが滑ることを防止する滑り防止部材をさらに含むことができる。
【００２０】
前記ケースのうち前記支持棒に隣接した部分には、前記支持棒により支持されたラップフィルムロールのラップフィルムの残余量を確認することができるようにすると共に、取っ手の役割を果たす透視孔が形成され得る。
【００２１】
前記透視孔には、透明または半透明材質の透視窓が結合され得、前記透視窓の中間部分は凹み形状を有することができる。
【００２２】
本発明の他の実施形態によるラップ包装機は、ラップフィルムロールを収容することができるように形成されるケース；前記ケースに設置されるレール支持台；前記レール支持台に設置されるカッターレール；前記カッターレールに隣接するように前記レール支持台に着脱可能に設置される着脱レール；および前記カッターレールおよび前記着脱レールに沿ってスライド可能に設置される移動カッターを含む。前記着脱レールが前記レール支持台から脱去された場合、前記移動カッターは前記カッターレールから脱去され得るように形成される。
【００２３】
前記移動カッターは、ブレード、および前記ブレードを支持し挿入部を有する支持体を含むことができ、前記着脱レールは、本体；前記本体に形成されて前記移動カッターの前記挿入部を収容する収容部；前記本体の側面に前記収容部と連通するように形成されて前記移動カッターの前記挿入部を前記収容部に引き入れたり引き出す側面開放部；前記本体の上面に前記収容部と連通するように形成されて前記移動カッターの左右移動を案内し、前記移動カッターの前記挿入部を前記収容部に拘束させる上面開放部；および前記本体に備えられて前記ラップ包装機と着脱可能に形成される締結部を含むことができる。
【００２４】
前記締結部は、前記本体の底面に備えられる締結突起でありうる。
【００２５】
前記ラップフィルムロールを収容する状態で前記ケースに挿入され得るように形成される引出し部材を含むことができる。
【００２６】
前記カッターレールは、前記引出し部材に装着され得る。
【００２７】
本発明の他の実施形態によるラップ包装機は、前記引出し部材を前記ケースにロッキング（ｌｏｃｋｉｎｇ）させるロッキングユニットをさらに含むことができる。
【００２８】
前記ロッキングユニットは、前記引出し部材の端部に備えられる弾性ブラケット；前記弾性ブラケットに備えられる係止突起；および前記係止突起に相応するように前記ケースに備えられる係止溝を含むことができる。
【００２９】
本発明のさらに他の実施形態によるラップ包装機は、前記ケースの内面のうち前記引出し部材の背面に相応する面に備えられて前記引出し部材を前方へ押し付ける加圧部をさらに含むことができる。
【００３０】
前記加圧部は、前記引出し部材の背面に向って凸状に折り曲げられ、弾性を有する弾性部材でありうる。
【００３１】
本発明の実施形態によるラップ包装機は、開放部を含むケース；前記ケース内に着脱可能に備えられ、第１ラップフィルムロールを支持することができるように形成される第１支持棒；前記第１支持棒により支持される前記第１ラップフィルムロールのうち、前記ケースの外部に出たラップフィルムを切断することができるように備えられる第１カッター部；前記第１支持棒と上下方向に離隔するように前記ケース内に着脱可能に備えられ、第２ラップフィルムロールを支持することができるように形成される第２支持棒；および前記第１カッター部と上下方向に離隔するように配置され、前記第２支持棒により支持される前記第２ラップフィルムロールのうち、前記ケースの外部に出たラップフィルムを切断することができるように備えられる第２カッター部を含む。
【発明の効果】
【００３２】
本発明の実施形態によれば、着脱ユニットを通じて移動カッターをカッターレールから脱離または挿入することができる構成を有することによって、円形ブレードの寿命が終わった場合、移動カッターのみを交換すれば良いため、ラップ包装機全体を新たに購入することに比べて維持費用を顕著に節約することができる。
【００３３】
また、本発明の実施形態によれば、一つのケースのみが使用されるため、上部ケースと下部ケースを別途に製作して使用する従来技術に比べて製品単価を下げることができる。
【００３４】
また、本発明の実施形態によれば、左右係止部に支持棒を載置する構成を有することによって、多種ラップフィルムロール支持手段およびロールサポーター部などの技術構成を有する従来技術に比べてその構成および組み立てを単純化させることができる。
【００３５】
また、本発明の実施形態によれば、円形ブレードが支持体に回転される構成を有することによって、円形ブレードの外周縁に形成された刃全体が均等に使用されるため、従来技術のブレードとは異なり容易に鈍らないため、円形ブレードの寿命を従来に比べて延長させることができる。
【００３６】
また、本発明の実施形態によれば、大きさが異なる複数のラップフィルムロールを垂直に並列配置したり水平に直列配置して使用することができる構成を有することによって、複数のラップ包装機を購入して使用しなければならない従来技術に比べてその費用を節約することができるばかりか、厨房の使用可能面積が狭くなることを未然に防止することができる。
【００３７】
また、本発明の実施形態によれば、ケースに透視窓がさらに備えられることによって、使用者が現在のラップフィルムの残量を簡単に確認することができるため、随時にラップフィルムロールの余分を準備しておくことができて使用が便利になる。
【００３８】
また、本発明の実施形態によれば、一つのケースのみが使用されるため、上部ケースと下部ケースを別途に製作して使用する従来技術に比べて製品単価を下げることができる。
【００３９】
また、本発明の実施形態によれば、左右係止部に支持棒を載置する構成を有することによって、多種ラップフィルムロール支持手段およびロールサポーター部などの技術構成を有する従来技術に比べてその構成および組み立てを単純化させることができる。
【図面の簡単な説明】
【００４０】
【図１】本発明の第１実施形態によるラップ包装機を示す斜視図である。
【図２】図１の分解斜視図である。
【図３】図２の移動カッターを示す正面図である。
【図４】図３の移動カッターを示す側面図である。
【図５ａ】一例の着脱ユニットを示すための図面で、図１の“Ａ”部を拡大して着脱過程を示す図面である。
【図５ｂ】他の一例の着脱ユニットを示すための図面である。
【図６】支持棒に第１、第２および第３区分板が備えられ、第１および第２ラップフィルムロールが挿入された状態を示す要部斜視図である。
【図７】本発明の第２実施形態によるラップ包装機を示す側面図である。
【図８】本発明の第２実施形態によるラップ包装機を示す正面図である。
【図９】本発明の一実施形態によるラップ包装機のカッターレールを構成する着脱レールとこれに締結される移動カッターを示す斜視図である。
【図１０】図９の移動カッターが着脱レールに装着された状態を示す側面図である。
【図１１】図９および図１０の移動カッターと着脱レールが装着された状態の本発明の一実施形態によるラップ包装機を示す図面である。
【図１２】図１１のラップ包装機において、上部ケースが引き出された状態でロッキングユニットを示すための斜視図である。
【図１３】図１１のラップ包装機において、上部ケースが引き出された状態で加圧部を示すための斜視図である。
【図１４】図１１のラップ包装機において、上部および下部ケースが引き出された状態でハウジングに囲まれた外装部材を示すための断面図である。
【図１５】従来のラップ包装機を示す分解斜視図である。
【発明を実施するための形態】
【００４１】
以下、図面を参照して本発明の実施形態について詳しく説明する。
【００４２】
図１は、本発明の第１実施形態によるラップ包装機を示す斜視図であり、図２は、図１の分解斜視図である。
【００４３】
本発明の第１実施形態によるラップ包装機は、図１および図２に示されているように、ケース１１０と、第１左右係止部１２０と、第１支持棒１３０と、蓋１４０と、第１カッター部１５０とを含む。
【００４４】
ケース１１０は、上部が開口された開放部１１１を含む。このようなケース１１０は、樹脂材質からなることができる。
【００４５】
第１左右係止部１２０は、ケース１１０の左側および右側内面にそれぞれ備えられる左側係止部１２１および右側係止部１２２からなる。一例として、左側係止部１２１および右側係止部１２２はケース１１０を射出する時にケース１１０に一体に形成され得る。他の一例として、図示されなかったが、左側係止部１２１および右側係止部１２２は別途の部材を使用して左側および右側内面に設置されることもできる。
【００４６】
第１支持棒１３０は、第１ラップフィルムロール１０を直接的に支持するためのものであって、第１左右係止部１２０に着脱可能且つ回転可能に載置され、その外周面に第１ラップフィルムロール１０が外挿される。
【００４７】
蓋１４０は、開放部１１１を開閉させることができるようにケース１１０に回動可能に備えられる。参考までに、第１ラップフィルムロール１０のラップフィルムは、ケース１１０の開放部１１１と蓋１４０の間の隙を通じて外部に引き出され得る。
【００４８】
第１カッター部１５０は、外部に引き出されたラップフィルムを切断するためにケース１１０の前面に備えられる。以下、図１乃至図４を参照して第１カッター部１５０についてより具体的に説明する。
【００４９】
図３は、図２の移動カッターを示す正面図であり、図４は、図２の移動カッターを示す側面図である。
【００５０】
第１カッター部１５０は、図１乃至図４に示されているように、ケース１１０の前面にケース１１０の長さ方向に長く備えられるカッターレール１５１と、カッターレール１５１に沿って左右スライド可能に備えられる移動カッター１５２とを含む。特に、移動カッター１５２は、図３および図４に示されているように、カッターレール１５１に挿入される挿入部１６１ａおよびカッターレールの上に位置する取っ手部１６１ｂを含む支持体１６１と、支持体１６１に回転可能に備えられ、外周面に刃１６２ａが形成された円形ブレード１６２とを含む。したがって、円形ブレード１６２が支持体１６１に回転される構成を有するため、円形ブレード１６２の外周縁に形成された刃１６２ａ全体が均等に使用され得る。
【００５１】
また、第１カッター部１５０は、移動カッター１５２をカッターレール１５１から着脱させるための着脱ユニット１５３をさらに含むことができる。以下、図５ａおよび図５ｂを参照して着脱ユニット１５３を詳しく説明する。
【００５２】
図５ａは、一例の着脱ユニットを示すための図面で、図１の“Ａ”部を拡大して着脱過程を示す図面であり、図５ｂは、他の一例の着脱ユニットを示す図面である。
【００５３】
一例として、図５ａに示されているように、着脱ユニット１５３は、カッターレール１５１に形成され、ただし、支持体１６１の長さまたは幅よりも広く形成されるカッター通過孔１５３ａと、カッター通過孔１５３ａを塞ぐキャップ１５３ｂとを含むことができる。したがって、着脱ユニット１５３を通じて移動カッター１５２をカッターレール１５１から脱離または挿入することができる構成を有することによって、円形ブレード１６２の寿命が終わった場合、移動カッター１５２のみを交換することができる。特に、カッター通過孔１５３ａは、カッターレール１５１の端部の前面に形成され得、キャップ１５３ｂは、カッターレール１５１にヒンジ結合され得る。したがって、カッターレール１５１の前面に備えられるため、前方へ引っ張る力を別途に加えない限り移動カッター１５２の左右移動力のみでキャップ１５３ｂが開かれる恐れがない。
【００５４】
他の例として、図５ｂに示されているように、カッター通過孔１５３２は、カッターレール１５１の端部の前面に形成され、キャップ１５３１の底面には嵌合突起１５３１ａが形成され、嵌合突起１５３１ａに相応するようにカッターレール１５１のうちカッター通過孔１５３２側には嵌合溝１５３１ｂが形成され得る。
【００５５】
また、本発明の実施形態によるラップ包装機は、第１ラップフィルムロール１０が第１支持棒１３０に沿って左右移動することを防止するために左右移動防止ユニット１７０をさらに含むことができる。以下、図２および図６を参照して、左右移動防止ユニット１７０を詳しく説明する。
【００５６】
図６は、支持棒に第１、第２および第３区分板が備えられ、第１および第２ラップフィルムロールが外挿された状態を示す要部斜視図である。
【００５７】
左右移動防止ユニット１７０は、図２に示されているように、第１支持棒１３０の外周縁に第１支持棒１３０の長さ方向に沿って形成される複数の調節孔１７１と、複数の調節孔１７１のうち該当調節孔に嵌合される調節突起１７２ａを有し、第１ラップフィルムロール１０の左右移動を防止する第１および第２区分板１７２、１７３とを含むことができる。したがって、第１ラップフィルムロール１０が巻き解かれながら左右に移動しないため、ラップフィルムが外部に引き出されながら皺ができたり重なったり裂ける現象を未然に防止することができる。
【００５８】
また、図６に示されているように、第１支持棒１３０には、第１ラップフィルムロール１０と直列配列される第２ラップフィルムロール２０がさらに備えられ得る。この場合、左右移動防止ユニット１７０は、第１支持棒１３０のうち第１ラップフィルムロール１０と第２ラップフィルムロール２０の間に備えられる第３区分板１７４をさらに含むことができる。
【００５９】
以下、図７および図８を参照して、本発明の第２実施形態によるラップ包装機を詳しく説明する。
【００６０】
図７は、本発明の第２実施形態によるラップ包装機を示す側面図であり、図８は、本発明の第２実施形態によるラップ包装機を示す正面図である。
【００６１】
本発明の第２実施形態によるラップ包装機は、図７および図８に示されているように、上述した本発明の第１実施形態の構成に、ラップフィルム通過部２１０と、第２左右係止部２２０と、第２支持棒２３０と、第２カッター部２５０とをさらに含むものであって、第１および第２支持棒１３０、２３０は垂直に並列配置される構造を有することができる。ひいては、第１支持棒１３０の下に位置する第２支持棒２３０には大きさが互いに異なる第３および第４ラップフィルムロール３０、４０が水平に直列配置されるように外挿され得、第１支持棒１３０には一つのラップフィルムロール１０が外挿され得る。以下、上述した第１実施形態と異なる構成についてのみ説明する。
【００６２】
ラップフィルム通過部２１０は、第３ラップフィルムロール３０で巻き解かれたラップフィルムが外部に引き出される所であり、ケース１１０の長さ方向に長いスリット形状を有し、上述した開放部１１１と第１設定高さ差を置いてケース１１０の前面に備えられる。
【００６３】
第２左右係止部２２０は、第２支持棒２３０がかかる所であり、上述した第１左右係止部１２０と第２設定高さ差を置いてケース１１０の左側および右側内面にそれぞれ備えられる左側係止部と右側係止部を含む。
【００６４】
第２支持棒２３０は、実質的に第３および第４ラップフィルムロール３０、４０が外挿される所であり、第２左右係止部２２０に着脱可能に備えられる。
【００６５】
第２カッター部２５０は、ラップフィルム通過部２１０を通じて引き出されるラップフィルムを切断するためのものであり、第１カッター部１５０と第３設定高さ差を置いてケース１１０の前面に備えられる。一方、第２カッター部２５０に対する具体的な説明は第１カッター部１５０と同一であるため省略する。
【００６６】
また、設計および量産の時にサイズに対する混同を未然に防止するために、上述した第１、第２および第３設定高さ差は互いに同一に設定され得る。
【００６７】
また、本発明の第２実施形態によるラップ包装機は、第１および第２支持棒１３０、２３０が垂直に並列配置される構造である複層構造を有するため、第１支持棒１３０の下に位置する第２支持棒２３０は使用者により識別が不可能になることもある。つまり、第２支持棒２３０に外挿された第３および第４ラップフィルムロール３０、４０のラップフィルムの残量は、使用者により識別が不可能になり得る。これを解決するために、ケース１１０のうち第１左右係止部１２０に隣接した部位には第１透視孔１１２が形成され、ケース１１０のうち第２左右係止部２２０に隣接した部位には第２透視孔１１３が形成され得る。特に、第１および第２透視孔１１２、１１３は、ラップフィルムの残量を確認することができるばかりか、使用者によりラップ包装機を持てる取っ手の役割を果たす。もちろん、第１透視孔１１２は上述した本発明の第１実施形態にも適用され得る。
【００６８】
また、第１および第２透視孔１１２、１１３を通じてケース１１０内部に異物が流入されないように第１および第２透視孔１１２、１１３のそれぞれには透明または半透明材質の透視窓１１４が結合され得る。この時、透視窓１１４は手で捕まえられるようにその中間が凹状に内側へ窪む形状にすることができる。
【００６９】
一方、本発明の実施形態らによるラップ包装機は、ケース１１０の底面に備えられてケース１１０が滑ることを防止する滑り防止部材１１７をさらに含むことができる。例えば、滑り防止部材１１７は、ゴム材質からなることができ、その底面に凹凸（図示せず）が形成され得る。
【００７０】
以上のように、本発明の実施形態らによるラップ包装機は次のような効果を奏することができる。
【００７１】
本発明の実施形態らによれば、円形ブレード１６２が支持体１６１に回転される構成を有することによって、円形ブレード１６２の外周縁に形成された刃１６２ａ全体が均等に使用されるため、従来技術のブレード（図１５の図面符号４４）とは異なり容易に鈍らず、円形ブレード１６２の寿命を従来に比べて延長させることができる。
【００７２】
また、本発明の実施形態らによれば、着脱ユニット１５３を通じて移動カッター１５２をカッターレール１５１から脱離または挿入することができる構成を有することによって、円形ブレード１６２の寿命が終わった場合、移動カッター１５２のみを交換すれば良いため、ラップ包装機全体を新たに購入することに比べて維持費用を顕著に節約することができる。
【００７３】
また、本発明の実施形態らによれば、一つのケース１１０のみが使用されるため、上部ケース（図１５の図面符号１４）と下部ケース（図１５の図面符号１５）を別途に製作して使用する従来技術に比べて製品単価を下げることができる。
【００７４】
また、本発明の実施形態らによれば、左右係止部１２０に支持棒１３０を載置する構成を有することによって、多種ラップフィルムロール支持手段（図１５の図面符号２０）およびロールサポーター部（図１５の図面符号３０）などの技術構成を有する従来技術に比べてその構成および組立を単純化させることができる。
【００７５】
また、本発明の第２実施形態によれば、大きさが異なる複数のラップフィルムロールを垂直に並列配置したり水平に直列に配置して使用することができる構成を有することによって、複数のラップ包装機を購入して使用しなければならない従来技術に比べてその費用を節約することができるばかりか、厨房の使用可能面積が狭くなることを未然に防止することができる。
【００７６】
また、本発明の第２実施形態によれば、ケース１１０に透視窓１１４がさらに備えられることによって、使用者が現在のラップフィルムの残量を簡単に確認ことができるため、随時にラップフィルムロールの余分を準備しておくことができて使用が便利になる。
【００７７】
以下、図９乃至図１４を参照して本発明の他の実施形態について説明する。
【００７８】
本発明の実施形態によるラップ包装機１００は、ラップフィルムロール１０を収容することができるように形成されるケース１６０を含み、レール支持台１３０がケース１６０に設置される。カッターレール１４０がレール支持台１３０に設置され、着脱レール１２０がカッターレール１４０に隣接するようにレール支持台１３０に着脱可能に設置される。移動カッター１１０は、カッターレール１４０および着脱レール１２０に沿ってスライド可能に設置される。本実施形態では、着脱レール１２０がレール支持台１３０から脱去された場合、移動カッター１１０はカッターレール１４０から脱去されるように形成される。
【００７９】
着脱レール１２０は、図９および図１０に示されているように、ブレード１１１とこれを支持しながら挿入部１１２ａを有する支持体１１２と取っ手１１３とを含む移動カッター１１０をラップ包装機１００に装着させたりラップ包装機１００から脱去させるための部材であり、本体１２１と、収容部１２２と、側面開放部１２３と、上面開放部１２４と、締結部１２５とを含む。
【００８０】
本体１２１は、着脱レール１２０の外装をなす骨組の役割を果たすものであって、移動カッター１１０が円滑に移動するように移動カッター１１０の挿入部１１２ａとの摩擦を最少化する材質からなることができる。
【００８１】
収容部１２２は、移動カッター１１０の挿入部１１２ａを収容するために本体１２１に空間形態で形成される。特に、挿入部１１２ａが収容部１２２に完全に収容されるように、図９を基準に収容部１２２の横長さは挿入部１１２ａの横長さよりも長く設定され得る。
【００８２】
側面開放部１２３は、本体１２１の側面に収容部１２２と連通するように形成されて移動カッター１１０の挿入部１１２ａを収容部１２２に引き入れたり引き出す。特に、移動カッター１１０の挿入部１１２ａが引っ掛かることなく円滑に引き入れたり引き出されるように、つまり、側面開放部１２３と収容部１２２の間に段差がないように、図１０を基準に側面開放部１２３の左右幅は収容部１２２の左右幅と同一に設定され得る。
【００８３】
上面開放部１２４は、本体１２１の上面に収容部１２２と連通するように形成されて移動カッター１１０の左右移動を案内すると共に移動カッター１１０の挿入部１１２ａを収容部１２２に拘束させる。特に、移動カッター１１０の挿入部１１２ａが上方向に引き出されずに収容部１２２に拘束されるように、図１０を基準に上面開放部１２４の左右幅は挿入部１１２ａの左右幅よりも狭く設定され得る。
【００８４】
締結部１２５は、本体１２１に備えられてラップ包装機１００と着脱可能に形成される。一例として、ラップ包装機１００に締結溝１３１が形成される場合、前記締結部１２５は締結溝１３１に相応するように本体１２１の底面に備えられる締結突起（以下、図面符号「１２５」を付与する）でありうる。
【００８５】
したがって、本発明の一実施形態による着脱レール１２０によれば、図１０のように移動カッター１１０を着脱レール１２０の側面開放部１２３を通じて着脱レール１２０の収容部１２２に収容させた状態で、図１１に示されているように、着脱レール１２０の締結突起１２５をラップ包装機１００の締結溝１３１に挿入させたり着脱レール１２０の締結突起１２５を押してラップ包装機１００の締結溝１３１から分離させる方式によって、容易且つ迅速に移動カッター１１０をラップ包装機１００に装着したりラップ包装機１００から脱去させることができる。
【００８６】
以下、図１１乃至図１４を参照して本発明の一実施形態によるラップ包装機１００を詳しく説明する。
【００８７】
図１２は、図１１のラップ包装機１００において、上部引出し部材１５０ａが引き出された状態でロッキングユニット１７０を示すための斜視図であり、図１３は、図１１のラップ包装機１００において、上部引出し部材１５０ａが引き出された状態で加圧部１８０を示すための斜視図であり、図１４は、図１１のラップ包装機１００において、上部および下部引出し部材１５０ａ、１５０ｂが引き出された状態でケース１６０に囲まれた外装部材１９０を示すための断面図である。
【００８８】
ラップ包装機１００は、図１１乃至図１４に示されているように、着脱レール１２０と、レール支持台１３０と、カッターレール１４０と、少なくとも一つの引出し部材１５０とを含む。
【００８９】
着脱レール１２０は、上述した本発明の一実施形態による移動カッター用着脱レール１２０と同一であるためその説明を省略する。
【００９０】
レール支持台１３０は、引出し部材１５０の前面に備えられ、着脱レール１２０およびカッターレール１４０がこれに支持される。特に、着脱レール１２０はカッターレール１４０と異なりレール支持台１３０に着脱可能に備えられる。
【００９１】
カッターレール１４０は、着脱レール１２０のうち側面開放部１２３に引き続いてレール支持台１３０に備えられ、着脱レール１２０と共に移動カッター１１０の左右移動を案内する。特に、移動カッター１１０がカッターレール１４０および着脱レール１２０に沿って左右移動する時、その間で引っ掛かることなく円滑に移動するように、つまり、カッターレール１４０と着脱レール１２０の間に段差がないように、カッターレール１４０の縦断面は着脱レール１２０の縦断面と同一な大きさと形状を有することができる。
【００９２】
引出し部材１５０は、ラップフィルムロール１０を収容し、その前面にはレール支持台１３０が外部に突出するように備えられる。
【００９３】
したがって、本発明の一実施形態によるラップ包装機１００によれば、着脱レール１２０を通じて移動カッター１１０を交換することができるばかりか、引出し部材１５０の外部に出たラップフィルムロール１０のラップフィルム１１を包装に使用した後、移動カッター１１０を利用して、つまり、移動カッター１１０をカッターレール１４０および着脱レール１２０に沿って左右に移動させてカッティングすることによって、包装されたラップフィルムとラップフィルムロール１０のラップフィルム１１とを互いに分離させることができる。
【００９４】
また、本発明の一実施形態によるラップ包装機１００は、図１２に示されているように、少なくとも一つの引出し部材１５０が引出し形態に引き入れたり引き出されるように少なくとも一つの引出し部材１５０を支持するケース１６０をさらに含むことができる。
【００９５】
一例として、引出し部材１５０は、上部が開放された引出し形状をなすことができ、ケース１６０の前面には引出し部材１５０を引き入れたり引き出すための引き入れ・引き出し口１６１が形成され得る。つまり、ケース１６０は、タンス形態を有し、引出し部材１５０はタンスに引き入れたり引き出される引出し形態を有することができる。
【００９６】
ひいては、ケース１６０と引出し部材１５０の間にはラップフィルムロール１０のラップフィルム１１が通過するラップフィルム通過孔１０１が形成され得る。
【００９７】
また、本発明の一実施形態によるラップ包装機１００は、図１２に示されているように、引出し部材１５０をケース１６０にロッキングさせるロッキングユニット１７０（ｌｏｃｋｉｎｇ  ｕｎｉｔ）をさらに含むことができる。
【００９８】
一例として、ロッキングユニット１７０は、引出し部材１５０の端部に備えられる弾性ブラケット１７１と、弾性ブラケット１７１に備えられる係止突起１７２と、係止突起１７２に相応するようにケース１６０に備えられる係止溝１７３とを含むことができる。したがって、ロッキングさせるためには、引出し部材１５０をケース１６０の引き入れ・引き出し口１６１に押込むと、その加圧力と係止突起１７２により弾性ブラケット１７１が係止溝１７３に向かう方向の反対方向に曲がりながら係止突起１７２が係止溝１７３に嵌合音がするように掛かってロッキングされ、ロッキングを解除させるためには、弾性ブラケット１７１を係止溝１７３に向かう方向の反対方向に加圧すると係止突起１７２が係止溝１７３から脱去されてロッキングが解除される。
【００９９】
また、本発明の一実施形態によるラップ包装機１００は、図１３および図１４に示されているように、ケース１６０の内面のうち、引出し部材１５０の背面に相応する面に備えられて引出し部材１５０を前方へ押し付ける加圧部１８０をさらに含むことができる。
【０１００】
一例として、加圧部１８０は、引出し部材１５０の背面に向かって凸状に折り曲げられ、弾性を有する弾性部材１８１でありうる。より具体的には、弾性部材１８１はケース１６０に一体に形成され得る。したがって、ロッキングユニット１７０により引出し部材１５０とケース１６０がロッキングされる場合、引出し部材１５０が弾性部材１８１によりケース１６０に弾性支持された状態になるため、外部の力がケース１６０に加わってもケース１６０内で引出し部材１５０が前後または左右に微動する現象を未然に防止することができる。また、ロッキングユニット１７０により引出し部材１５０とケース１６０のロッキングが解除される場合、引出し部材１５０は弾性部材１８１の弾性力によりケース１６０から前方へある程度出るようになるため、無理に引出し部材１５０を引っ張らなくても良いなど、使用の便利性が改善され得る。
【０１０１】
また、本発明の一実施形態によるラップ包装機１００は、図１４に示されているように、ケース１６０の平面、底面、背面および両側面を一度に囲む外装部材１９０をさらに含むことができる。したがって、外装部材１９０を通じてケース１６０が最終的に仕上げ処理されるため、使用者の所望の外形を実現することができる。
【０１０２】
また、図１１乃至図１４を再び参照すれば、ケース１６０には、上下方向に上部引き入れ・引き出し口１６１ａと下部引き入れ・引き出し口１６１ｂが形成され得、また少なくとも一つの引出し部材１５０は、ケース１６０の上部引き入れ・引き出し口１６１ａに引き入れおよび引き出し可能に備えられる上部引出し部材１５０ａと、ケース１６０の下部引き入れ・引き出し口１６１ｂに引き入れおよび引き出し可能に備えられる下部引出し部材１５０ｂとを含むことができる。したがって、互いに異なる大きさのラップフィルムロール１０を上部引出し部材１５０ａと下部引出し部材１５０ｂにそれぞれ具備することができるため、厨房などの空間を広く占めずに異なる大きさのラップフィルムロール１０を共に使用することができる。
【０１０３】
以上のように、本発明の一実施形態による移動カッター用着脱レール１２０およびこれを含むラップ包装機１００は、次のような効果を奏することができる。
【０１０４】
本発明の一実施形態によれば、移動カッター用着脱レール１２０がラップ包装機１００に着脱可能に備えられるため、移動カッター１１０の交換作業が着脱レール１２０を通じて容易且つ迅速に行われ得る。
【０１０５】
以上で本発明の好ましい実施形態を説明したが、本発明の権利範囲はこれに限定されず、特許請求の範囲で定義している本発明の基本概念を利用した当業者の多様な変形および改良形態も本発明の権利範囲に属する。
【産業上の利用可能性】
【０１０６】
本発明は、ラップを収容し切断するラップ包装機に関するものであって、産業上の利用可能性がある。
【符号の説明】
【０１０７】
１０…第１ラップフィルムロール
２０…第２ラップフィルムロール
３０…第３ラップフィルムロール
４０…第４ラップフィルムロール
１１０…ケース
１１１…開放部
１１２…第１透視孔
１１３…第２透視孔
１１４…透視窓
１１７…滑り防止部材
１２０…第１左右係止部
１３０…第１支持棒
１４０…蓋
１５０…第１カッター部
１５１…カッターレール
１５２…移動カッター
１５３…着脱ユニット
１５３ａ…カッター通過溝
１５３ｂ…キャップ
１５３１…キャップ
１５３１ａ…嵌合突起
１５３２…カッター通過孔
１２０（１２１、１２２）…第１左右係止部
１６１…支持体
１６１ａ…挿入部
１６１ｂ…取っ手部
１６２…円形ブレード
１６２ａ…刃
１７０…左右移動防止ユニット
１７１…調節孔
１７２…第１区分板
１７２ａ…調節突起
１７３…第２区分板
１７４…第３区分板
２１０…ラップフィルム通過部
２２０…第２左右係止部
２３０…第２支持棒
２５０…第２カッター部
１１…ラップフィルム
１０１…ラップフィルム通過孔
１１０…移動カッター
１１１…ブレード
１１２…支持体
１１２ａ…挿入部
１１３…取っ手
１２０…着脱レール
１２１…本体
１２２…収容部
１２３…側面開放部
１２４…上面開放部
１２５…締結部
１３０…レール支持台
１３１…締結溝
１４０…カッターレール
１５０…引出し部材
１５０ａ…上部引出し部材
１５０ｂ…下部引出し部材
１６０…ケース
１６１…引き入れ・引き出し口
１６１ａ…上部引き入れ・引き出し口
１６１ｂ…下部引き入れ・引き出し口
１７０…ロッキングユニット
１７１…弾性ブラケット
１７２…係止突起
１７３…係止溝
１８０…加圧部
１８１…弾性部材
１９０…外装部材
【図１】
0005695759.tif 000002
【図２】
0005695759.tif 000003
【図３】
0005695759.tif 000004
【図４】
0005695759.tif 000005
【図５ａ】
0005695759.tif 000006
【図５ｂ】
0005695759.tif 000007
【図６】
0005695759.tif 000008
【図７】
0005695759.tif 000009
【図８】
0005695759.tif 000010
【図９】
0005695759.tif 000011
【図１０】
0005695759.tif 000012
【図１１】
0005695759.tif 000013
【図１２】
0005695759.tif 000014
【図１３】
0005695759.tif 000015
【図１４】
0005695759.tif 000016
【図１５】
0005695759.tif 000017